(57)【要約】【課題】ケースの奥行寸法が短くても背の高い譜面立が得られる開閉蓋を提供する。【解決手段】一方の長辺を操作側、他方の長辺を背面側とされたケースと、このケースの開口面を短辺方向に関して操作側が短い寸法とされ、背面側が長い寸法とされて２分割してケースの開口面を開閉する第１開閉蓋及び第２開閉蓋と、これら第１開閉蓋と第２開閉蓋の相互間を回動自在に連結するヒンジと、第１開閉蓋を円弧に沿って移動させるアームと、第２開閉蓋を回動自在に軸支する支持軸の位置を第１開閉蓋の円弧移動に連動させて移動させるステーと、第２開閉蓋の板面の向が重力方向とほぼ並行する姿勢に達した状態で支持軸の位置を第２開閉蓋の回動遊端側にスライドさせるスライダと、ステーに一方向の弾性的な回動偏倚力を与え、スプリングとを具備した開閉蓋。【選択図】　図１
2004020576.tif 000002
【特許請求の範囲】
【請求項１】
Ａ．開口面がほぼ長方形状を有し、一方の長辺を操作側、他方の長辺を背面側とされたケースと、
Ｂ．このケースの開口面を短辺方向に関して上記操作側が短い寸法とされ、背面側が長い寸法とされて２分割して上記ケースの開口面を開閉する第１開閉蓋及び第２開閉蓋と、
Ｃ．これら第１開閉蓋と第２開閉蓋の相互間を回動自在に連結するヒンジと、
Ｄ．上記第１開閉蓋の短辺方向の上記ヒンジ側に延長された遊端が上記ケース内に回動自在に軸支され、上記第１開閉蓋を支持して第１開閉蓋を所定の円弧に沿って移動させ、各移動位置に応じて上記第１開閉蓋を構成する板材の板面の角度を変化させて上記ケースの操作側の開口面を塞ぐ姿勢と開放する姿勢に移動させるアームと、
Ｅ．上記第２開閉蓋をこの第２開閉蓋の短辺方向の所定位置において回動自在に軸支する支持軸の位置を上記第１開閉蓋の円弧移動に連動させて移動させるステーと、
Ｆ．上記第２開閉蓋の板面の向が重力方向とほぼ並行する姿勢に達した状態で上記第２開閉蓋の自重に従って上記支持軸の位置を上記第２開閉蓋の回動遊端側にスライドさせるスライダと、
Ｇ．上記ステーに一方向の弾性的な回動偏倚力を与え、上記スライダのスライド方向が上記支持軸の回動方向と一致した状態で上記支持軸の位置を上記所定位置に復帰させるためのスプリングと、
を具備したことを特徴とする開閉蓋。
【請求項２】
請求項１記載の開閉蓋において、上記支持軸の位置が上記第２開閉蓋の回動遊端側にスライドした状態で上記ステーと第２開閉蓋とを係合させ、第２開閉蓋に掛かる閉方向の外力により上記第１開閉蓋及び第２開閉蓋が閉方向に移動することを阻止する係合手段を付加した構造としたことを特徴とする開閉蓋。
【請求項３】
請求項１又は２記載の開閉蓋の何れかにおいて、上記第１開閉蓋が閉塞位置に近づいた位置で上記アームに係合が始まり、上記第１開閉蓋及び第２開閉蓋に掛かる重力によって発生する閉位置に向う偏倚力を受け、上記第１開閉蓋及び第２開閉蓋の移動速度を減速させる緩衝手段を付加した構造としたことを特徴とする開閉蓋。
【請求項４】
請求項１乃至３記載の開閉蓋の何れかにおいて、上記アームには上記第１開閉蓋が閉塞位置に近づく向に移動する状態でバネに偏倚力を与え、バネに上記第１開閉蓋を開方向に移動させる向の運動エネルギーを蓄積するエネルギー蓄積手段を付加した構造としたことを特徴とする開閉蓋。
【請求項５】
請求項１乃至４記載の開閉蓋の何れかにおいて、上記ケースの内部には鍵盤楽器が実装され、上記第１開閉蓋及び第２開閉蓋は閉状態では上記鍵盤楽器の鍵盤配列面を覆い、開状態では上記第１開閉蓋は譜面受として作用し、上記第２開閉蓋は譜面立として作用することを特徴とする開閉蓋。
【請求項６】
請求項５記載の開閉蓋において、上記第２開閉蓋にこの第２開閉蓋の回動遊端面から出入り自在に支持された可動板と、この可動板に上記ステーに支持された支持軸とを連結する連結手段とを設けた構成としたことを特徴とする開閉蓋。
【発明の詳細な説明】
【０００１】
【発明の属する技術分野】
この発明は例えば鍵盤楽器に利用して好適な開閉蓋に関し、特に短い奥行寸法にも係わらず開閉蓋により譜面立及び譜面受と兼用することができる新規な構造を提案するものである。
【０００２】
【従来の技術】
従来より鍵盤楽器の特に鍵盤の配列面を覆う開閉蓋には各種の構造のものが提案されている。鍵盤楽器は周知のように、長方形状のケースの一方の長辺が操作側とされ、他方の長辺が背面側とされる。操作側の長辺に沿って鍵盤が配列され、この鍵盤の配列面に開閉蓋が施され、鍵盤の配列面を開閉できる構造とされる。
図９に示す例ではケース１の鍵盤配列面をスライド式開閉蓋２によって開閉する構造の例を示す。図１０に示す例では二つ折開閉蓋３を上向きに跳ね上げ鍵盤配列面を開閉する構造とした場合を示す。
【０００３】
【発明が解決しようとする課題】
図９に示したスライド式開閉蓋２を用いた場合、譜面立及び譜面受を開閉蓋２とは別に用意しなくてはならないため、部品の数が多くなりコストが掛かる欠点がある。
また、図１０に示した例では開閉蓋３を譜面立及び譜面受として兼用することができる。然し乍ら、この構造の開閉蓋３は蓋の奥行寸法の約１／２の位置で２分割しているため、譜面立として利用するには高さの寸法が不足する傾向がある。特に楽器の小型化に伴ってケース１の奥行寸法を短く採ればそれに伴って開閉蓋３の奥行寸法も短くしなければならないため、譜面立としての高さの寸法が不足することになる。
【０００４】
この発明の目的は、開閉蓋を譜面立及び譜面受として兼用する場合、譜面立の高さの寸法を可及的に高く採ることができる新規な構造の開閉蓋を提案するものである。
【０００５】
【課題を解決するための手段】
この発明の請求項１では、開口面がほぼ長方形状を有し、一方の長辺を操作側、他方の長辺を背面側とされたケースと、このケースの開口面を短辺方向に関して操作側が短い寸法とされ、背面側が長い寸法とされて２分割してケースの開口面を開閉する第１開閉蓋及び第２開閉蓋と、これら第１開閉蓋と第２開閉蓋の相互間を回動自在に連結するヒンジと、第１開閉蓋の短辺方向のヒンジ側に延長された遊端がケース内に回動自在に軸支され、第１開閉蓋を支持して第１開閉蓋を所定の円弧に沿って移動させ、各移動位置に応じて第１開閉蓋を構成する板材の板面の角度を変化させてケースの操作側の開口面を塞ぐ姿勢と開放する姿勢に移動させるアームと、第２開閉蓋をこの第２開閉蓋の短辺方向の所定位置において回動自在に軸支する支持軸の位置を第１開閉蓋の円弧移動に連動させて移動させるステーと、第２開閉蓋の板面の向が重力方向とほぼ並行する姿勢に達した状態で第２開閉蓋の自重に従って支持軸の位置を第２開閉蓋の回動遊端側にスライドさせるスライダと、ステーに一方向の弾性的な回動偏倚力を与え、スライダのスライド方向が支持軸の回動方向と一致した状態で支持軸の位置を所定位置に復帰させるためのスプリングと、を具備した開閉蓋を提案する。
【０００６】
この発明の請求項２では、請求項１記載の開閉蓋において、支持軸の位置が第２開閉蓋の回動遊端側にスライドした状態でステーと第２開閉蓋とを係合させ、第２開閉蓋に掛かる閉方向の外力により第１開閉蓋及び第２開閉蓋が閉方向に移動することを阻止する係合手段を付加した構造とした開閉蓋を提案する。
この発明の請求項３では、請求項１又は２記載の開閉蓋のずれかにおいて、第１開閉蓋が閉塞位置に近づいた位置でアームに係合が始まり、第１開閉蓋及び第２開閉蓋に掛かる重力によって発生する閉位置に向う偏倚力を受け、第１開閉蓋及び第２開閉蓋の移動速度を減速させる緩衝手段を付加した構造とした開閉蓋を提案する。
【０００７】
この発明の請求項４では、請求項１乃至３記載の開閉蓋の何れかにおいて、アームには第１開閉蓋が閉塞位置に近づく向に移動する状態でバネに偏倚力を与え、ばねに第１開閉蓋を開方向に移動させる向の運動エネルギーを蓄積するエネルギー蓄積手段を付加した構造とした開閉蓋を提案する。
この発明の請求項５では、請求項１乃至４記載の開閉蓋の何れかにおいて、ケースの内部には鍵盤楽器が実装され、第１開閉蓋及び第２開閉蓋は閉状態では鍵盤楽器の鍵盤配列面を覆い、開状態では第１開閉蓋は譜面受として作用し、第２開閉蓋は譜面立として作用する開閉蓋を提案する。
この発明の請求項６では、請求項５記載の開閉蓋において、上記第２開閉蓋にこの第２開閉蓋の回動遊端面から出入り自在に支持された可動板と、この可動板に上記ステーに支持された支持軸とを連結する連結手段とを設けた構成とした開閉蓋を提案する。
【０００８】
作用
この発明の請求項１で提案する開閉蓋の構造によれば、蓋はケースの短辺方向に関して２分割され、２分割された第１開閉蓋と、第２開閉蓋は互にヒンジによって折曲り自在に連結され、第１開閉蓋はヒンジ側に延長された遊端がケース内に軸支されたアームにより回動自在に支持され、このアームによって円弧を描いて移動するから、第１開閉蓋と第２開閉蓋を結合したヒンジの部分はアームの回動に従ってケースに入り込む方向に移動する。
この結果、この発明の開閉蓋は図１０に示した二つ折開閉蓋３の場合と逆に２枚の開閉蓋はそれぞれの回動遊端が上方に跳ね上げられる。特にこの発明では２分割された蓋の操作側に位置する第１開閉蓋は背面側に位置する第２開閉蓋の奥行寸法より短く選定するものであるから、これにより第２開閉蓋の奥行寸法を広く採ることができる。従って、この発明による開閉蓋を鍵盤楽器の開閉蓋として利用した場合には、第２開閉蓋により背の高い譜面立を得ることができる。また、譜面立の全面には第１開閉蓋により背が低い譜面受を得ることができる。
【０００９】
更に、この発明の請求項２で提案する開閉蓋によれば開状態にある第１開閉蓋及び第２開閉蓋に閉方向に働く外力が与えられても、その外力は係合手段で受け止められ、開閉蓋が閉じることはない。従って、演奏中に開閉蓋に閉方向の外力が与えられても、この発明による開閉蓋によれば開閉蓋が不用意に閉じてしまうことがなく、演奏者の手を開閉蓋で挟んでしまう事故を回避することができる。
また、この発明の請求項３で提案する開閉蓋によれば、第１開閉蓋及び第２開閉蓋を閉位置に戻す際に第１開閉蓋を回動自在に支持するアームに緩衝手段を係合させて閉位置に近づく速度を減速させるから、指等を挟むことなく安全に蓋を閉じることができる。
【００１０】
更に、この発明の請求項４で提案する開閉蓋によれば、蓋を閉じる際に第１開閉蓋と第２開閉蓋の自重によって発生する閉方向の偏倚力をエネルギー蓄積手段に蓄えるから、蓋を開ける際にはこのエネルギーを使って軽く開けることができる。
更に、この発明の請求項５ではこの発明で提案した開閉蓋を鍵盤楽器に適用し、更に請求項６では第２開閉蓋の可動板を装着し、この可動板を第２開閉蓋が解放された状態で上向きにスライドさせるから、背の高い譜面立を得ることができる。
【００１１】
【発明の実施の形態】
図１にこの発明による開閉蓋の要部の構造を示す。図１において１は開口面がほぼ長方形状のケースを示す。１Ａは一方の長辺を示し、この長辺１Ａが操作側、他方の長辺１Ｂが背面側となる。
この発明ではケース１の長方形上の開口面を短辺方向に関して第１開閉蓋１１と第２開閉蓋１２とによって２分割して開閉する構造とするものである。
この発明の特徴とする構造は操作側の長辺１Ａに近い側の開口面を開閉する第１開閉蓋１１の奥行寸法を第２開閉蓋１２の奥行寸法より短く選定した点である。第１開閉蓋１１と第２開閉蓋１２はヒンジ１３（図２乃至図６参照）によって回動自在に連結され、更に、第１開閉蓋１１はヒンジ１３の連結点より外向に突出して延長されたアーム１４の遊端によってケース１に回動自在に支持される。従ってアーム１４の回動遊端と第１開閉蓋１１の回動遊端とが一致し、第１開閉蓋１１と第２開閉蓋１２とのヒンジ結合部分がアーム１４の回動遊端と軸支点位置との間に配置される。この構造により第１開閉蓋１１と第２開閉蓋１２とを連結したヒンジ１３の位置は図２に示す円弧Ａに沿って移動し、この移動中に第１開閉蓋１１と第２開閉蓋１２の板面が互に向き合う方向に回転する。
【００１２】
つまり、第１開閉蓋１１と第２開閉蓋１２はケース１の開口面を閉塞している状態▲１▼（図２参照）ではその板面は図３に示すように面一の状態にある。第１開閉蓋１１の回動遊端１１Ａに上向きの力を加えることにより、第１開閉蓋１１と第２開閉蓋１２とを連結しているヒンジ１３は円弧Ａに沿って図２に示す▲２▼、▲３▼、▲４▼の各位置を通過する。ヒンジ１３の位置がケース１の背面側１Ｂに近づくに従って、第１開閉蓋１１と第２開閉蓋１２の板面（上面）は互に向き合う方向に姿勢を変え、第１開閉蓋１１と第２開閉蓋１２の面が図４に示すように互に接合した状態で最大開放状態▲５▼に至る。
【００１３】
一方、第２開閉蓋１２はステー１５の回動遊端に装着した支持軸１６によって回動自在に支持される。支持軸１６は第２開閉蓋１２に装着したスライダ１７によって第２開閉蓋１２の短辺方向に対して移動自在とされる。つまり、スライダ１７は第２開閉蓋１２の短辺方向に延長された長孔１７Ａ（図１参照）を具備し、この長孔１７Ａに支持軸１６がスライド自在に係合する。
第２開閉蓋１２の板面の姿勢が重力の向とほぼ平行したとき、支持軸１６は第２開閉蓋１２の重量により下方に移動し、支持軸１６は長孔１７Ａ内において、第２開閉蓋１２の回動遊端側の端部位置まで移動する。このスライド動作により第２開閉蓋１２は図２に示すＤの位置からＥの位置に倒れ、譜面立として適度の角度に安定する。
【００１４】
ステー１５にはスプリング１８が取り付けられる。このスプリング１８はステー１５に一方向に回転する弾性的な偏倚力を与えるために設けられる。
つまり、第１開閉蓋１１及び第２開閉蓋１２が閉じている状態及び開放状態に至る間の途中の状態ではステー１５に与えられる回転偏倚力によってステー１５に支持されている支持軸１６がスライダ１７の一方の位置に偏倚した状態を維持する。従って、この偏倚動作により第１開閉蓋１１及び第２開閉蓋１２が閉位置から開位置及び開位置から閉位置に至る間、第２開閉蓋１２の回動軸位置がスライダ１７の一方の端部位置（以下この位置をスライダの所定位置と称す）に維持され、第２開閉蓋１２の開閉動作を安定に行うことができる。
【００１５】
この発明では更に、支持軸１６がスライダ１７内において支持軸１６が第２開閉蓋１２の回動遊端側の端部位置まで移動した際に、ステー１５と第２開閉蓋１２とを係合させる係合手段を設け、この係合手段により開状態にある第２開閉蓋１２に閉方向に向う外力が与えられても、この外力によって第１開閉蓋１１及び第２開閉蓋１２が閉じる方向に移動することを阻止する構造とした点を特徴とするものである。
この係合手段としては、この実施例では図１に示すようにステー１７を構成する金属板に形成した切欠２１と、ステー１５の縁に形成した突起２２とによって係合手段２３を構成した場面を示す。この係合手段２３は支持軸１６がスライダ１７において、第２開閉蓋１２の回動遊端側に移動した時点で係合し、図５に示す状態に安定する。この状態で図６に示すように第２開閉蓋１２の回動遊端に、この第２開閉蓋１２を閉じる方向の外力Ｗが与えられても、係合手段２３が係合し、第２開閉蓋１２は閉じる方向に変位することが阻止され、この結果として第１開閉蓋１１も閉じる方向に変位することが阻止される。従って、第１開閉蓋１１と第２開閉蓋１２が開いている状態で外力Ｗにより第１開閉蓋１１と第２開閉蓋１２が閉じてしまう事故が起きることが阻止され、演奏者の手を第１開閉蓋１１によって挟んでしまう事故の発生を回避することができる。尚、図５及び図６に示す２４はステー１５の回動位置を規制するストッパを示す。
【００１６】
第１開閉蓋１１及び第２開閉蓋１２が開状態（図４又は図５参照）において、第１開閉蓋１１の回動遊端１１Ａにこの街道遊端１１Ａを手前に引き込む力を与えた場合（正規の閉動作）にはヒンジ１３を通じて第２開閉蓋１２には上向きに働く力が与えられる。この上向きに働く力により第２開閉蓋１２は上向きに移動し、この上向きの移動により係合手段２３は係合状態から解かれ、更にスライダ１７は支持軸１６を相対的に下向に移動（スライド）させる。
第１開閉蓋１１を更に手前に引くことによりヒンジ１３は図２に示した円弧Ａに沿ってこの例では反時計方向に移動する。この第１開閉蓋１１の移動に連動して第２開閉蓋１２の角度が背面側に倒れていき、図２に示すＣの付近に近づくと、スライダ１７の長孔１７Ａの向とステー１５の回動方向とが一致し、ステー１５はスプリング１８の偏倚力に従って回動し、支持軸１６をスライダ１７の所定位置に復帰させる。従って、以後第２開閉蓋１２の支持点はスライダ１７の所定位置に固定されるから第２開閉蓋１２は安定して閉方向に変位することができる。
【００１７】
この発明では更に、請求項３で提案するように、第１開閉蓋１１及び第２開閉蓋１２が閉じる際に、閉位置に近づいた位置で緩衝手段に係合し、第１開閉蓋１１及び第２開閉蓋１２の移動速度を減速させる構成を付加した点を特徴とするものである。
このため、この実施例では図１に示すように、アーム１４と一体に回転するギヤ２５と、このギヤ２５と係合するロータリーダンパ２６を設け、これらギヤ２５とロータリーダンパ２６とによって緩衝手段２７を構成した場合を示す。
【００１８】
ロータリーダンパ２６は第１開閉蓋１１及び第２開閉蓋１２が閉じる方向に変位している状態でギヤ２５がロータリーダンパ２６に係合すると、油性のダンパ作用により第１開閉蓋１１と第２開閉蓋１２の動きを減速させ、第１開閉蓋１１と第２開閉蓋１２をゆっくりと閉方向に変位させる。この結果、指などが第１開閉蓋１１に挟まれてしまう事故が起きないようにすることができる。ロータリーダンパ２６は方向性を有し、第１開閉蓋１１と第２開閉蓋１２を開く方向に変位させる場合には無抵抗で回転し、蓋を開ける際は軽い力で開けることができる。
【００１９】
この発明では更に、請求項４で提案するように、第１開閉蓋１１と第２開閉蓋１２が閉位置に近づく際に、第１開閉蓋１１と第２開閉蓋１２の重力によって発生する閉方向に働くエネルギをエネルギ蓄積手段に蓄え、第１開閉蓋１１及び第２開閉蓋１２を開く際に、このエネルギを使って開けることにより、全体として軽い操作力で第１開閉蓋１１及び第２開閉蓋１２を開閉できるエネルギ蓄積手段を付加した構成を特徴とするものである。
図１に示す２８はエネルギ蓄積手段を示す。エネルギ蓄積手段２８としてはこの実施例ではアーム１４の回動支持軸にねじりスプリングを装着して構成した場合を示す。エネルギ蓄積手段２８に第１開閉蓋１１と第２開閉蓋１２が閉じる際に、各自重によって発生するエネルギを蓄える。エネルギ蓄積手段２８に蓄えられたエネルギは第１開閉蓋１１および第２開閉蓋１２を開ける際に、開け始めの初期状態において補助力として作用し、軽い操作力で蓋を開けることができる。
【００２０】
図７及び図８にこの発明の請求項６で提案する開閉蓋の実施例を示す。この実施例では第２開閉蓋１２のほぼ中央に、譜面（特に図示していない）と同等程度の幅ｗを持つ可動板３０を設け、この可動板３０をスライダ１７によりスライドする支持軸１６の動きを利用して上方にスライドさせ、第２開閉蓋１２の回動遊端面１２Ａより更に上方に突出する譜面立を得ることができるように構成したものである。
第２開閉蓋１２に可動板３０を可動自在に支持させるために、この実施例では第２開閉蓋１２の表側の面（閉塞時に表側となる面）に短辺方向に幅ｗを持つ凹溝に１２Ｂを形成する。この凹溝１２Ｂは第２開閉蓋１２の回動遊端面１２Ａに連通し、回動遊端面１２Ａに開口される。可動板３０は凹溝１２Ｂの面積とほぼ等しい面積に選定され、平素可動板３０は凹溝１２Ｂの内部に格納されている。
【００２１】
可動板３０と支持軸１６とは連結手段４０によって連結される。この実施例では凹溝１２Ｂの底面と、第２開閉蓋１２の裏面１２Ｃに連通する長孔１２Ｄを形成し、この長孔１２Ｄを通じてスライド板４１を可動板３０に装着する。長孔１２Ｄは第２開閉蓋１２の短辺方向に延長される。この実施例では長孔１２Ｄを２本形成した場合を示す。この２本の長孔１２Ｄを通じてスライド板４１を可動板３０に装着した例を示す。
スライド板４１の板面には第２開閉蓋１２の長辺方向と軸芯が一致する姿勢の筒状軸受４２を装着する。この筒状軸受４２に支持軸１６を貫通させて支持軸１６と可動板３０とを連結する。つまり、この実施例では支持軸１６を第２開閉蓋１２の両方の短辺に配置した一対のステー１５の相互間に差し渡し、その中間部分で筒状軸受４２に貫通させ、支持軸１６と可動板３０とを連結させる。従ってこれらスライド板４１と、筒状軸受４２及び支持軸１６によって連結手段４０が構成される。
【００２２】
このように構成することにより、支持軸１６がスライダ１７の所定位置に存在している状態では可動板３０は第２開閉蓋１２に形成した凹溝１２Ｂに格納されている。
第１開閉蓋１１及び第２開閉蓋１２が開位置に近づいて第２開閉蓋１２の板面の向きが垂直な姿勢に近づき、支持軸１６がスライダ１７でスライドし、第２開閉蓋１２が下向きに移動すると、このスライド動作に連動して可動板３０は第２開閉蓋１２の回動遊端面１２Ａから突出し、図８に示す状態に至る。第１開閉蓋１１及び第２開閉蓋１２を閉じると、可動板３０は再び凹溝１２Ｂ内に格納される。
【００２３】
従って、この発明の請求項６で提案する開閉蓋によれば第２開閉蓋１２の短辺方向の長さより更に背の高い譜面立を得ることができ、背の高い譜面でも安定して支持することができる利点が得られる。
尚、図７及び図８に示した実施例では可動板３０を第２開閉蓋１２の表面に形成した凹溝１２Ｂに格納した例を説明したが、可動板３０を格納する手段としては凹溝に限らず、例えば第２開閉蓋１２の回動遊端面１２Ｂからヒンジ１３の装着位置に向かって板状の空胴を形成し、この空胴の内部に可動板３０を可動自在に配置することも考えられ、凹溝１２Ｂに限定されるものではない。
【００２４】
【発明の効果】
上述したこの発明の開閉蓋は楽器以外にも用いることができるが、特に鍵盤楽器に適用して最も良い効果が得られる。つまり、第１開閉蓋１１の奥行寸法を第２開閉蓋１２の奥行寸法より短く選定すればする程、第２開閉蓋１２の奥行寸法を可及的に長く得ることができる。
因みに第１開閉蓋１１の奥行寸法を第２開閉蓋１２の奥行寸法の例えば１／４に選定したとすると、第１開閉蓋１１と第２開閉蓋１２を開いた状態では図４に示すように、第２開閉蓋１２は約３／４の長さを譜面立として利用することができる。また、第１開閉蓋１１の長辺１１Ａの面は譜面受として利用することができるため、背の高い楽譜でも安定して支持することができる。
【００２５】
また、第１開閉蓋１１の奥行寸法を短く採ることにより第２開閉蓋１２の奥行寸法が長く採れることから、ケース１の奥行寸法を短くしても第２開閉蓋１２の奥行寸法が極端に短くなることはない。従って、ケース１の奥行寸法を縮めても背の高い譜面立を得ることができる利点が得られる。
【図面の簡単な説明】
【図１】この発明の一実施例を説明するための斜視図。
【図２】この発明の動作を説明するための側面図。
【図３】この発明の開閉蓋の閉じた状態を説明するための側面図。
【図４】この発明の開閉蓋の開いた状態を説明するための側面図。
【図５】この発明の要部の動作を説明するための図。
【図６】図５と同様の図。
【図７】この発明の更に他の実施例を説明するための斜視図。
【図８】図７に示した実施例の動作を説明するための斜視図。
【図９】従来の技術を説明するための側面図。
【図１０】従来の技術の他の例を説明するための側面図。
【符号の説明】
１　　ケース　　　　　　　　　　２１　　切欠
１Ａ　　操作側の長辺　　　　　　　２２　　突起
１Ｂ　　背面側の長辺　　　　　　　２３　　係合手段
１１　　第１開閉蓋　　　　　　　　２４　　ストッパ
１２　　第２開閉蓋　　　　　　　　２５　　ギヤ
１３　　ヒンジ　　　　　　　　　　２６　　ロータリーダンパ
１４　　アーム　　　　　　　　　　２７　　緩衝手段
１５　　ステー　　　　　　　　　　２８　　エネルギ蓄積手段
１６　　支持軸　　　　　　　　　　３０　　可動板
１７　　スライダ　　　　　　　　　４０　　連結手段
１８　　スプリング
【図１】
2004020576.tif 000003
【図２】
2004020576.tif 000004
【図３】
2004020576.tif 000005
【図４】
2004020576.tif 000006
【図５】
2004020576.tif 000007
【図６】
2004020576.tif 000008
【図７】
2004020576.tif 000009
【図８】
2004020576.tif 000010
【図９】
2004020576.tif 000011
【図１０】
2004020576.tif 000012